(57)【要約】      （修正有）【課題】アンテナ装置の着脱作業の作業性を向上し、取付け状態ではアンテナ本体の固定状態が確実に保持される様にする。【解決手段】取付け用ベース１３と、アンテナ本体３とを具備し、前記取付け用ベースに円弧状の円弧孔２７を形成し、該円弧孔の始端部に始端孔２６を設けると共に前記取付け用ベース１３の取付け面側から前記円弧孔２７に沿ってスライド溝２８を形成し、前記アンテナ本体３の取付け面にスライドピンを突設すると共に該スライドピンに軸心方向に変位自在で、前記始端孔２６を挿通可能なスライドワッシャ１６を設け、該スライドワッシャ１６をスプリングによって前記アンテナ本体取付け面に向って付勢する様にし、前記アンテナ本体３を回転することで、前記取付け用ベース１３に一体化されると共に前記スライドワッシャ１６が前記スプリングによって前記スライド溝２８に押圧されることで前記アンテナ本体３の回転位置が保持される様構成した。【選択図】図７
2007143051.tif 000002
【特許請求の範囲】
【請求項１】
建築物平面部に取付けられる取付け用ベースと、該取付け用ベースに取付けられるアンテナ本体とを具備し、前記取付け用ベースに円弧状の円弧孔を形成し、該円弧孔の始端部に始端孔を設けると共に前記取付け用ベースの取付け面側から前記円弧孔に沿ってスライド溝を形成し、前記アンテナ本体の取付け面にスライドピンを突設すると共に該スライドピンに軸心方向に変位自在にスライドワッシャを設け、該スライドワッシャをスプリングによって前記アンテナ本体取付け面に向って付勢する様にし、前記スライドワッシャは前記始端孔を挿通可能であり、前記スライドワッシャを前記始端孔に挿通させた状態で前記アンテナ本体を回転することで、前記スライドワッシャが前記スライド溝に乗上げてスライドし、前記アンテナ本体が前記取付け用ベースに一体化されると共に前記スライドワッシャが前記スプリングによって前記スライド溝に押圧されることで前記アンテナ本体の回転位置が保持される様構成されたことを特徴とするアンテナ装置。
【発明の詳細な説明】
【技術分野】
【０００１】
本発明は携帯電話通信システム等に用いられるブースタ装置のアンテナ装置に関し、特に天井、壁面等に設置されるアンテナ装置に関するものである。
【背景技術】
【０００２】
携帯電話通信システム等で通話範囲を確保する為、建築物内、地下街に適宜ブースタ装置が設けられ、更に該ブースタ装置用のアンテナ装置が天井面、壁面に設置される。
【０００３】
前記アンテナ装置には設置する場合の作業の容易性、或はメンテナンス作業の容易性が求められる。
【０００４】
従来のブースタ装置用のアンテナ装置について図８により説明する。
【０００５】
図８は室内の天井にアンテナ装置１が設置された場合を示しており、図８中、２は天井板２を示している。
【０００６】
前記アンテナ装置１の内部の詳細については説明を省略するが、該アンテナ装置１はアンテナ本体３が取付けられるベース４、該ベース４から突設された取付け用ボルト５を有している。又、前記ベース４の裏面（取付け面）には前記アンテナ装置１のコネクタ６が突出している。
【０００７】
前記アンテナ装置１を前記天井板２に設置する場合は、該天井板２の設置箇所の中心にアンテナケーブル接続用孔７、及び前記取付け用ボルト５用のボルト孔８を穿設する。
【０００８】
前記天井板２の上面に取付け板９を配設し、前記コネクタ６を前記アンテナケーブル接続用孔７内に位置決めし、又前記取付け用ボルト５を前記ボルト孔８及び前記取付け板９に貫通させる。前記取付け用ボルト５にナット１１を螺着し、締付け、前記天井板２を前記ベース４と前記取付け板９とで挾込む様にして前記アンテナ装置１を固定する。
【０００９】
該アンテナ装置１の固定後、前記コネクタ６にアンテナケーブル（図示せず）を接続する。前記ナット１１のナット掛け作業、アンテナケーブルの接続作業は、天井裏からの作業となる。
【００１０】
前記アンテナ装置１の設置後、保守、点検を行う場合、天井裏に行き、前記ナット１１を外す。前記アンテナ装置１が落下しない様に、前記アンテナケーブルは接続したままとする。室内に移動し、前記アンテナ装置１を引出し、前記アンテナケーブルを前記コネクタ６から外し、前記アンテナ装置１について所要の作業を行う。
【００１１】
上記した従来のアンテナ装置では、前記アンテナ装置１の着脱作業に天井裏での作業が伴うので、作業性が悪く、又保守、点検時に前記アンテナ本体３を取外す場合、前記アンテナケーブルを引出さなければならず、該アンテナケーブルの取扱いが煩雑になるという問題があった。
【００１２】
尚、着脱容易にしたアンテナ装置としては、特許文献１に示されるものがある。特許文献１に示されるアンテナ装置では、ベース側に係合片が設けられ、アンテナ本体側には引掛け金具を着脱可能とし、引掛け金具と係合片との着脱は、ベースに対するアンテナ本体の回転によって行っている。
【００１３】
特許文献１では、引掛け金具と係合片との係合力の設定が微妙であり、強いとアンテナ本体の着脱が困難となり、弱いとアンテナ本体が簡単に外れてしまう。更に、アンテナ本体とケーブルの連結は、ケーブルを引出した状態で行う為、ケーブルの取扱いが煩雑となっている。
【００１４】
【特許文献１】特開平８−３３０８２２号公報
【発明の開示】
【発明が解決しようとする課題】
【００１５】
本発明は斯かる実情に鑑み、アンテナ装置に於いて、アンテナ本体の着脱が室内側からの作業で簡単に行え、又、取付け状態ではアンテナ本体の固定状態が確実に保持されるアンテナ装置を提供するものである。
【課題を解決するための手段】
【００１６】
本発明は、建築物平面部に取付けられる取付け用ベースと、該取付け用ベースに取付けられるアンテナ本体とを具備し、前記取付け用ベースに円弧状の円弧孔を形成し、該円弧孔の始端部に始端孔を設けると共に前記取付け用ベースの取付け面側から前記円弧孔に沿ってスライド溝を形成し、前記アンテナ本体の取付け面にスライドピンを突設すると共に該スライドピンに軸心方向に変位自在にスライドワッシャを設け、該スライドワッシャをスプリングによって前記アンテナ本体取付け面に向って付勢する様にし、前記スライドワッシャは前記始端孔を挿通可能であり、前記スライドワッシャを前記始端孔に挿通させた状態で前記アンテナ本体を回転することで、前記スライドワッシャが前記スライド溝に乗上げてスライドし、前記アンテナ本体が前記取付け用ベースに一体化されると共に前記スライドワッシャが前記スプリングによって前記スライド溝に押圧されることで前記アンテナ本体の回転位置が保持される様構成されたアンテナ装置に係るものである。
【発明の効果】
【００１７】
本発明によれば、建築物平面部に取付けられる取付け用ベースと、該取付け用ベースに取付けられるアンテナ本体とを具備し、前記取付け用ベースに円弧状の円弧孔を形成し、該円弧孔の始端部に始端孔を設けると共に前記取付け用ベースの取付け面側から前記円弧孔に沿ってスライド溝を形成し、前記アンテナ本体の取付け面にスライドピンを突設すると共に該スライドピンに軸心方向に変位自在にスライドワッシャを設け、該スライドワッシャをスプリングによって前記アンテナ本体取付け面に向って付勢する様にし、前記スライドワッシャは前記始端孔を挿通可能であり、前記スライドワッシャを前記始端孔に挿通させた状態で前記アンテナ本体を回転することで、前記スライドワッシャが前記スライド溝に乗上げてスライドし、前記アンテナ本体が前記取付け用ベースに一体化されると共に前記スライドワッシャが前記スプリングによって前記スライド溝に押圧されることで前記アンテナ本体の回転位置が保持される様構成されたので、該アンテナ本体の着脱が建築物平面部の表側から、例えば室内側からだけの作業で実施でき、又着脱作業に工具を必要としないので、作業性が著しく向上し、前記アンテナ本体の位置が前記スプリングの付勢力で保持されるので安定保持が可能であるという優れた効果を発揮する。
【発明を実施するための最良の形態】
【００１８】
以下、図面を参照しつつ本発明を実施する為の最良の形態を説明する。
【００１９】
図１〜図７に於いて、図８中で示したものと同等のものには同符号を付してある。
【００２０】
本発明に係るアンテナ装置１は、主にアンテナ本体３、取付け用ベース１３、取付け板９から構成される。
【００２１】
先ず、前記アンテナ本体３について図２、図３により説明する。
【００２２】
該アンテナ本体３の底板１４から上方に向けて左右一対のスライドピン１５，１５が突設されている。該スライドピン１５は先端部が細径となっていると共に先端面は平らとなっており、先端側から雌螺子穴が穿設されている。
【００２３】
先端部に摺動自在なスライドワッシャ１６が嵌合され、先端部の先端にはバネ受け用のワッシャ１７を介しボルト１８が螺着されている。前記ワッシャ１７は前記スライドワッシャ１６より小径となっており、該スライドワッシャ１６と前記ワッシャ１７との間に圧縮スプリング１９が挾設されている。
【００２４】
前記スライドワッシャ１６は先端部をガイドとして移動可能であると共に前記圧縮スプリング１９によって前記底板１４に向って付勢されている。又前記スライドワッシャ１６は、前記先端部基端の段差によって前記底板１４方向への移動が規制されている。
【００２５】
該底板１４の中心には前記アンテナ本体３のアンテナ（図示せず）に接続されたアンテナ接続端部２１が突出している。
【００２６】
図４〜図５に於いて、前記取付け用ベース１３について説明する。
【００２７】
該取付け用ベース１３は前記天井板２を貫通する固定ボルト２２が、天井板２の上面に配設された前記取付け板９に螺着することで前記天井板２の下面に取付けられる（図１参照）。前記取付け用ベース１３に穿設された固定ボルト貫通孔２３には、前記固定ボルト２２の頭が前記取付け用ベース１３の下面より突出しない様に、前記取付け用ベース１３の下面側から座刳り穴２４が穿設されている。
【００２８】
前記取付け用ベース１３の中心にはアンテナケーブル（図示せず）が接続されるコネクタ６が設けられ、該コネクタ６は上方に向って突出されている。又、前記取付け用ベース１３の下面中心には、前記アンテナ接続端部２１が嵌脱可能で、且つ嵌合状態で回転自在なアンテナ被接続端部（図示せず）が設けられ、該アンテナ被接続端部は前記コネクタ６と電気的に接続されている。
【００２９】
前記取付け用ベース１３には、該取付け用ベース１３の中心を中心とした円弧状のスライド孔２５，２５が対称的に穿設されている。該スライド孔２５は、一端（始端）に前記スライドワッシャ１６が挿通可能な始端孔２６と、該始端孔２６に連続し前記スライドピン１５が摺動自在な円弧孔２７とを有する略曲玉形状をしている。又、該円弧孔２７に沿って該円弧孔２７の上面（取付け面）側には前記スライドワッシャ１６が摺動自在なスライド溝２８が形成されている。
【００３０】
該スライド溝２８の底面は、図６に示される構成となっている。
【００３１】
前記スライド溝２８の始端部（前記始端孔２６に連続する部分）は、底部の厚みが増大する様な第１傾斜部２９ａであり、該第１傾斜部２９ａに連続する中間部は底部の厚みが変化しない平行部２９ｂであり、該平行部２９ｂに連続する第２傾斜部２９ｃは底部の厚みが減少しており、終端部２９ｄは平らで前記スライドワッシャ１６の直径と略等しい円形の凹部となっている。
【００３２】
前記スライド溝２８の始端部の厚みａは、前記スライドピン１５の段差迄の高さより小さくなっており、前記平行部２９ｂの厚みｂと前記始端部の厚みａとの差は前記圧縮スプリング１９の最大撓み量より小さくなっており、更に前記終端部２９ｄの厚みｃは前記厚みｂより小さく、又前記圧縮スプリング１９を所要量撓ませる値となっている。
【００３３】
前記アンテナ装置１を設置するには、先ず前記取付け用ベース１３を前記天井板２に取付ける。前記取付け用ベース１３の取付けは前述した通りであり、前記固定ボルト貫通孔２３及び前記天井板２に前記固定ボルト２２を挿通し、該固定ボルト２２を前記天井板２上面に配設した前記取付け板９に螺着し、前記コネクタ６にアンテナケーブル（図示せず）を接続する。
【００３４】
次に、前記アンテナ本体３を前記取付け用ベース１３に取付ける。
【００３５】
２本の前記スライドピン１５を前記始端孔２６に挿入する。２本の前記スライドピン１５を前記始端孔２６に挿入することで、前記取付け用ベース１３と前記アンテナ本体３との中心合せが行われ、更に前記アンテナ接続端部２１が前記アンテナ被接続端部（図示せず）に嵌入する。前記アンテナ接続端部２１と前記アンテナ被接続端部（図示せず）との嵌合により、前記アンテナ本体３は前記アンテナ接続端部２１を中心に回転可能となる。
【００３６】
前記底板１４の上面を前記取付け用ベース１３の下面に密着させると、前記スライドワッシャ１６が前記始端孔２６を通過する。前記アンテナ本体３を前記スライドピン１５が前記円弧孔２７の終端に向って移動する様に（図７中反時計方向）回転すると、前記スライドワッシャ１６が前記第１傾斜部２９ａをスライドし、軸方向に変位して前記圧縮スプリング１９を撓ませる。更に、前記アンテナ本体３を回転すると、前記スライドワッシャ１６が前記平行部２９ｂに乗上げ、該平行部２９ｂを移動する。前記アンテナ本体３が更に回転され、前記スライドワッシャ１６が前記第２傾斜部２９ｃを経て前記終端部２９ｄに至る。
【００３７】
前記第２傾斜部２９ｃを通過する過程で、前記圧縮スプリング１９は（ｂ−ｃ）分だけ撓みが復帰し、前記アンテナ本体３を回転する為に必要な力が少なくて済む。従って、該アンテナ本体３を回転する者は、前記スライドピン１５が終端に到達したことを感覚的に判断でき、更に前記取付け用ベース１３がロック状態となったことを感覚的に判断できる。
【００３８】
又、前記スライドワッシャ１６が前記終端部２９ｄに位置する状態では、前記圧縮スプリング１９は（ａ−ｃ）分だけ撓んでおり、前記スライドワッシャ１６は前記圧縮スプリング１９によって前記終端部２９ｄに押付けられており、ロック状態は安定に保持される。又、前記アンテナ本体３を取外す方向（図７中時計方向）に回転するには、前記圧縮スプリング１９の力に抗して前記第２傾斜部２９ｃを乗上げる回転力が必要であり、振動等で前記アンテナ本体３が取外し方向に回転することが防止される。
【００３９】
前記アンテナ装置１の設置後、メンテナンス等で前記アンテナ本体３を取外す場合は、該アンテナ本体３を図７中時計方向に回転すればよい。該アンテナ本体３の取外し方向の回転力は、前記第２傾斜部２９ｃを乗上げる際に必要とされるが、その他前記スライドワッシャ１６を前記平行部２９ｂ、前記第１傾斜部２９ａをスライドさせる場合には然程必要とされない。前記スライドピン１５が前記始端孔２６に到達すると、前記アンテナ本体３を下方に引出せば、前記取付け用ベース１３から前記アンテナ本体３を取外せる。而して、該アンテナ本体３を取外す為に、天井裏に作業者が移動する必要なく、又取外す為の工具も必要ない。
【００４０】
尚、上記説明ではアンテナ装置を前記天井板２に取付ける場合を説明したが、壁面等建築物の平面部に取付ける場合にも実施可能であることは言う迄もない。又、前記実施の形態では、前記スライドピン１５の先端部に細径部を形成したが、細径部の代りに細径のカラーを前記ボルト１８により前記スライドピン１５の先端に固着しても良い。更に、前記天井板２が木部等であった場合、前記取付け用ベース１３を木ねじで前記天井板２に直接固定しても良い。この場合、前記取付け板９は省略することができる。又、前記スライド溝２８の前記終端部２９ｄに至る前記第２傾斜部２９ｃを省略し、前記終端部２９ｄの底部の厚みをｂとし、終端部でのアンテナ本体３の保持を前記圧縮スプリング１９のバネ力のみで行っても良い。更に、この場合、ロック機構を別途設けても良い。
【図面の簡単な説明】
【００４１】
【図１】本発明の実施の形態を示す部分破断側面図である。
【図２】本発明の実施の形態に於けるアンテナ本体の側面図である。
【図３】本発明の実施の形態に於けるアンテナ本体の上面図である。
【図４】本発明の実施の形態に於ける取付け用ベースの側面図である。
【図５】本発明の実施の形態に於ける取付け用ベースの上面図である。
【図６】図５のＡ−Ａ矢視図である。
【図７】本発明の実施の形態を示す分解斜視図である。
【図８】従来のアンテナ装置を示す側面図である。
【符号の説明】
【００４２】
１              アンテナ装置
２              天井板
３              アンテナ本体
６              コネクタ
９              取付け板
１３            取付け用ベース
１５            スライドピン
１６            スライドワッシャ
１９            圧縮スプリング
２１            アンテナ接続端部
２６            始端孔
２７            円弧孔
２８            スライド溝
【図１】
2007143051.tif 000003
【図２】
2007143051.tif 000004
【図３】
2007143051.tif 000005
【図４】
2007143051.tif 000006
【図５】
2007143051.tif 000007
【図６】
2007143051.tif 000008
【図７】
2007143051.tif 000009
【図８】
2007143051.tif 000010